(57)【要約】【課題】薬液注入履歴管理方法、より詳しくは患者の疼痛管理を目的として患者の静脈又は硬膜外に定量の薬液を自動注入する薬液注入装置の薬液注入履歴を管理することが可能な薬液注入履歴管理方法を提供すること。【解決手段】本発明の薬液注入履歴管理方法は、（ａ）前記薬液注入装置上で薬液注入情報を設定する段階と、（ｂ）前記設定された薬液注入情報に基づいて患者に注入される薬液の注入履歴を所定の時間間隔で格納する段階と、（ｃ）前記格納された薬液の注入履歴を所定の時間間隔別に分析して前記患者に対する薬液注入状態を調節する段階とを含んでなることを特徴とする。本発明によれば、薬液注入装置上で薬液注入情報を設定した後、設定された薬液注入情報に基づいて患者に注入される薬液の注入履歴を所定の時間間隔で格納し或いは格納された注入履歴を画面表示部でディスプレイすることができ、格納された薬液の注入履歴を所定の時間間隔で分析して患者に対する薬液注入状態を調節することができるので、患者の状態に対する能動的対処が可能な効果を持つ。【選択図】図２
2013525059.tif 000002
【特許請求の範囲】
【請求項１】
薬液注入装置の薬液注入履歴管理方法において、
（ａ）前記薬液注入装置上で薬液注入情報を設定する段階と、
（ｂ）前記設定された薬液注入情報に基づいて患者に注入される薬液の注入履歴を所定の時間間隔で格納する段階と、
（ｃ）前記格納された薬液の注入履歴を所定の時間間隔別に分析して前記患者に対する薬液注入状態を調節する段階とを含んでなる、薬液注入履歴管理方法。
【請求項２】
前記（ａ）段階において、前記薬液注入情報は、薬液目標注入量、薬液流速、薬液に含まれた薬剤量、ボーラス注入量、ボーラス流速、及び時間当たりのボーラス制限量を含むことを特徴とする、請求項１に記載の薬液注入履歴管理方法。
【請求項３】
前記（ａ）段階に続いて、（ａ１）前記設定された薬液注入情報をディスプレイする段階をさらに含むことを特徴とする、請求項２に記載の薬液注入履歴管理方法。
【請求項４】
前記（ａ１）段階は、
（ａ１１）前記薬液目標注入量と前記薬液流速をディスプレイする段階と、
（ａ１２）前記薬剤量をディスプレイし、前記薬液目標注入量、前記薬液流速及び前記薬剤量を用いて薬剤流速を計算した後、前記薬剤流速をディスプレイする段階と、
（ａ１３）前記ボーラス注入量と前記ボーラス流速をディスプレイする段階とを含むことを特徴とする、請求項３に記載の薬液注入履歴管理方法。
【請求項５】
前記（ａ１２）段階において、前記薬剤流速は下記の数式：
ＤＲ＝（ＤＡ／ＴＶ）＊ＦＲ
（式中、ＤＲは薬剤流速、ＤＡは薬剤量、ＴＶは薬液目標注入量、ＦＲは薬剤流速をそれぞれ示す）
によって計算されることを特徴とする、請求項４に記載の薬液注入履歴管理方法。
【請求項６】
前記（ｂ）段階は、
（ｂ１）前記所定の時間間隔別に前記薬液の注入量をチェックし、前記所定の時間間隔別の前記薬液の注入量と前記薬液の総注入量を格納する段階と、
（ｂ２）前記所定の時間間隔別にボーラス試行回数とボーラス注入回数をチェックし、前記所定の時間間隔別にボーラス試行回数、前記ボーラス注入回数及びボーラス注入量を格納する段階とを含むことを特徴とする、請求項２に記載の薬液注入履歴管理方法。
【請求項７】
前記（ｂ２）段階に続いて、
（ｂ３）前記所定の時間間隔別に前記薬液注入装置の一時停止か否かをチェックし、前記所定の時間間隔別に前記薬液注入装置の一時停止履歴を格納する段階をさらに含むことを特徴とする、請求項６に記載の薬液注入履歴管理方法。
【請求項８】
前記（ｂ１）段階における前記所定の時間間隔別の薬液注入量及び前記薬液総注入量、前記（ｂ２）段階における前記ボーラス試行回数、前記ボーラス注入回数及び前記ボーラス注入量、並びに前記（ｂ３）段階における前記一時停止履歴は前記薬液注入装置上でディスプレイできることを特徴とする、請求項７に記載の薬液注入履歴管理方法。
【請求項９】
前記（ｃ）段階は、
（ｃ１）前記薬液目標注入量と前記所定の時間間隔別に格納された薬液注入量を用いて、前記所定の時間間隔別の薬液注入抜け量を算出する段階と、
（ｃ２）前記算出された注入抜け量が所定の次の時間間隔内に注入されるように薬液注入速度を調節する段階とを含むことを特徴とする、請求項６に記載の薬液注入履歴管理方法。
【請求項１０】
前記（ｃ２）段階に続いて、
（ｃ３）前記所定の時間間隔別に格納されたボーラス試行回数とボーラス注入回数との差異を計算し、その差異値が所定の基準値以上であれば、次のボーラス注入の際にボーラス注入量を調節する段階を含むことを特徴とする、請求項９に記載の薬液注入履歴管理方法。
【発明の詳細な説明】
【技術分野】
【０００１】
本発明は、薬液注入履歴管理方法に係り、より詳しくは、患者の疼痛管理を目的として患者の静脈又は硬膜外に定量の薬液を自動注入する薬液注入装置の薬液注入履歴を管理することが可能な薬液注入履歴管理方法に関する。
【背景技術】
【０００２】
一般に、病院などで患者の治療又は疼痛緩和を目的として薬剤含有薬液を注入する場合、薬液パックを患者の注射位置より高い地点に固定させた後、薬液の注入速度の調節が可能なバルブを操作して患者に一定量の薬液が注入されるようにしている。
【０００３】
ところが、前述したような方法を用いる場合、薬液の注入を受ける患者に間歇的な痙攣又は鎮痛が発生して一時的に注入量を増加させなければならないときに患者任意に注入量を調節すれば、患者の状態に危険が発生するおそれがあるので、追加処方の後に薬液の注入量を調節することになり、これにより時間が多くかかり、医師又は看護師の業務負担も増加するという問題点があった。
【０００４】
また、前記方法の場合、薬液の調節が手作業によって行われるから、処方に基づいて薬液が患者に時間当たり定量で注入されるように調節することが容易ではなく、急性心臓発作などの疾患によって特殊な場合にのみ薬液の注入が必要な患者の場合、特定の状況に対処するために迅速な薬物の注入が必要なので、個人が常に薬物を携帯しなければならず、注射の際に正確な定量を合わせて注射しなければならないので、定量注射に熟練した状態にならなければならないという問題点があった。
【０００５】
また、薬液の注入に熟練したとしても、過ちによって薬液を患者に超過投入するおそれがあって患者の安全性が担保できなかった。さらに、薬液に異物又は空気が含まれる場合や薬液パックが押される場合などの突発状況に患者が対処することが非常に難しいという問題点もあった。
【０００６】
よって、上述したような問題点を解決するために、ポンプ式で動作して、癌や白血病などの重症患者に対して、抗生物質又は抗癌剤などの含まれた薬液を患者の体内に微量で長時間にわたって注入し、或いは手術の後に持続的又は間歇的に疼痛が生ずる度に患者が鎮痛剤を投与することが可能な薬液注入装置が開発されて使用されている。
【０００７】
ところが、従来の薬液注入装置は、予め設定された情報に基づいて薬液が患者に注入されるばかりで、薬液注入装置上で薬液注入履歴に対する管理がまともに行われていないので、重症患者又は手術後に持続的に疼痛を伴う患者の状態に対する体系的な管理が行われていないという問題点があった。
【０００８】
また、従来の薬液注入装置は、一つの画面に設定情報が全て表示されず、段階別に設定情報がディスプレイされた後、設定情報に基づいて薬液注入が行われるので、設定情報入力中に発生しうる設定誤り確認のための入力された設定情報の再確認が容易ではないため、薬液注入履歴の体系的な管理が行われていないという問題点があった。
【発明の概要】
【発明が解決しようとする課題】
【０００９】
本発明は、上述した従来の問題点を解決するためのもので、その目的は、患者に注入される薬液の注入履歴を管理して患者に対する薬液注入状態をリアルタイムでチェックすることが可能であるとともに、薬液注入状態に応じて患者に対する薬液注入速度を調節することが可能な薬液注入履歴管理方法を提供することにある。
【課題を解決するための手段】
【００１０】
上記目的を達成するために、本発明は、薬液注入装置の薬液注入履歴管理方法において、（ａ）前記薬液注入装置上で薬液注入情報を設定する段階と、（ｂ）前記設定された薬液注入情報に基づいて患者に注入される薬液の注入履歴を所定の時間間隔で格納する段階と、（ｃ）前記格納された薬液の注入履歴を所定の時間間隔別に分析して前記患者に対する薬液注入状態を調節する段階とを含んでなる、薬液注入履歴管理方法を提供する。
【００１１】
また、前記（ａ）段階において、前記薬液注入情報は、薬液目標注入量、薬液流速、薬液に含まれた薬剤量、ボーラス注入量、ボーラス流速、及び時間当たりのボーラス制限量を含んでもよい。
【００１２】
また、前記（ａ）段階に続いて、（ａ１）前記設定された薬液注入情報をディスプレイする段階をさらに含んでもよい。
【００１３】
また、前記（ａ１）段階は、（ａ１１）前記薬液目標注入量と前記薬液流速をディスプレイする段階と、（ａ１２）前記薬剤量をディスプレイし、前記目標注入量、前記薬液流速及び前記薬剤量を用いて薬剤流速を計算した後、前記薬剤流速をディスプレイする段階と、（ａ１３）前記ボーラス注入量と前記ボーラス流速をディスプレイする段階とを含んでもよい。
【００１４】
また、前記（ａ１２）段階において、前記薬剤流速は下記の数式によって計算できる。
ＤＲ＝（ＤＡ／ＴＶ）＊ＦＲ
式中、ＤＲは薬剤流速、ＤＡは薬剤量、ＴＶは総薬液注入量、ＦＲは薬剤流速をそれぞれ示す。
【００１５】
また、前記（ｂ）段階は、（ｂ１）前記所定の時間間隔別に前記薬液の注入量をチェックし、前記所定の時間間隔別の前記薬液の注入量及び前記薬液の総注入量を格納する段階と、（ｂ２）前記所定の時間間隔別にボーラス試行回数及びボーラス注入回数をチェックし、前記所定の時間間隔別にボーラス試行回数、前記ボーラス注入回数及びボーラス注入量を格納する段階とを含んでもよい。
【００１６】
また、前記（ｂ２）段階に続いて、（ｂ３）前記所定の時間間隔別に前記薬液注入装置の一時停止か否かをチェックし、前記所定の時間間隔別に前記薬液注入装置の一時停止履歴を格納する段階をさらに含んでもよい。
【００１７】
また、前記（ｂ１）段階における前記所定の時間間隔別の薬液注入量及び前記薬液総注入量、前記（ｂ２）段階における前記ボーラス試行回数、前記ボーラス注入回数及び前記ボーラス注入量、並びに前記（ｂ３）段階における前記一時停止履歴は前記薬液注入装置上でディスプレイできる。
【００１８】
また、前記（ｃ）段階は、（ｃ１）前記薬液目標注入量と前記所定の時間間隔別に格納された薬液注入量を用いて、前記所定の時間間隔別の薬液注入抜け量を算出する段階と、（ｃ２）前記算出された注入抜け量が所定の次の時間間隔内に注入されるように薬液注入速度を調節する段階とを含んでもよい。
【００１９】
また、前記（ｃ２）段階に続いて、（ｃ３）前記所定の時間間隔別に格納されたボーラス試行回数とボーラス注入回数との差異を計算し、その差異値が所定の基準値以上であれば、次のボーラス注入の際にボーラス注入量を調節する段階を含んでもよい。
【発明の効果】
【００２０】
本発明によれば、薬液注入装置上で薬液注入情報を設定した後、設定された薬液注入情報に基づいて患者に注入される薬液の注入履歴を所定の時間間隔で格納し、或いは格納された注入履歴を画面表示部でディスプレイすることができ、格納された薬液の注入履歴を分析して患者に対する薬液注入状態を調節することができるので、患者の状態に対する能動的対処が可能であるという効果を持つ。
【００２１】
また、薬液注入情報と薬液注入履歴をディスプレイすることができるので、薬液注入装置によって薬液の注入を受ける患者の状態をリアルタイムで迅速にモニタリングすることができるという効果を持つ。
【００２２】
また、薬液注入情報や薬液注入履歴などを一つの画面上で同時にディスプレイすることができるので、従来の段階別ディスプレイ方式に比べて、薬液注入情報の設定過程で発生しうる誤りを減らすことができるという効果を持つ。
【図面の簡単な説明】
【００２３】
【図１】本発明の好適な実施例に係る薬液注入装置の斜視図である。
【図２】本発明の好適な実施例に係る薬液注入履歴管理方法の順序図である。
【図３】図２のＳ２０の詳細順序図である。
【図４】本発明の好適な実施例に係る薬液注入情報のディスプレイ参考図である。
【図５】図２のＳ３０の詳細順序図である。
【図６】本発明の好適な実施例に係る薬液総注入情報のディスプレイ参考画面である。
【図７】本発明の好適な実施例に係るボーラス履歴のディスプレイ参考画面である。
【図８】本発明の好適な実施例に係る薬液注入装置の停止履歴のディスプレイ参考画面である。
【図９】図２のＳ４０の詳細順序図である。
【発明を実施するための形態】
【００２４】
以下に添付図面を参照しながら、本発明の実施例を詳細に説明する。まず、各図面の構成要素に参照符号を添加するに際して、同一の構成要素に対しては、たとえ他の図面上に表示されても、できる限り同一の符号を付するようにしていることに留意すべきである。また、本発明を説明するにあたり、関連した公知の構成又は機能に対する具体的な説明が本発明の要旨を乱すおそれがあると判断される場合には、その詳細な説明は省略する。また、本発明の好適な実施例を下記に説明するが、本発明の技術的思想はこれに限定又は制限されず、当業者によって実施できる。
【００２５】
図１は本発明の好適な実施例に係る薬液注入装置の斜視図である。
【００２６】
図１に示すように、本発明の好適な実施例に係る薬液注入装置１は、胴体部１０、操作部２０、画面表示部３０、ボーラススイッチ連結部４０、薬液注入チューブ５０、及びドア部６０を含む。
【００２７】
操作部２０は、胴体部１０の前面部に位置し、操作部２０を操作して患者に対する薬液注入のための薬液注入情報の設定が行われる。
【００２８】
この際、薬液注入情報は、薬液目標注入量、薬液流速、薬液に含まれた薬剤量、ボーラス注入量、ボーラス流速、及び時間当たりのボーラス制限量であってもよい。
【００２９】
また、薬液注入情報は、薬液注入モードをさらに含んでもよいが、薬液注入モードは、初期薬液注入の開始から終了までの区間時間の間、既に設定された定量の薬液が持続的に注入される連続注入モード（Ｃｏｎｔｉｎｕｏｕｓ  Ｍｏｄｅ）、連続注入モードにおける定量の薬液にさらに一定量の薬液が注入されるようにする患者自己調節モード（ＰＣＡ  Ｍｏｄｅ）、及び患者自己調節モード（ＰＣＡ  Ｍｏｄｅ）と同一であるが薬液が静脈ではなく硬膜外に注入される患者硬膜外注入自己調節モード（ＰＣＥＡ  Ｍｏｄｅ）であってもよい。
【００３０】
また、薬液注入情報は、薬液に含まれた薬剤単位（ｍｇ、μｇ及びｍＬ）、ボーラス注入後から次のボーラス注入許容までのボーラススイッチロック時間であるボーラスロック時間（Ｌｏｃｋ  ｏｆ  Ｔｉｍｅ：ＬＯＴ）、薬液注入初期に患者にボーラスを与えるための量である負荷用量（Ｌｏａｄｉｎｇ  Ｄｏｓｅ：ＬＤ）、ボーラス流速（Ｂｏｌｕｓ  Ｒａｔｅ）、及び薬液注入完了後にも静脈の開放状態を持続的に維持するためのＫＶＯ（Ｋｅｅｐ  Ｖｅｉｎ  Ｏｐｅｎ）流速をさらに含んでもよい。
【００３１】
画面表示部３０は、操作部２０の上部に位置し、操作部２０を用いて設定された薬液注入情報をディスプレイする。
【００３２】
ボーラススイッチ連結部４０は、薬液注入情報に基づいて薬液注入を行うときに患者が疼痛を感じる場合、操作して一時的に患者に対する薬液投入量を増加させることが可能なボーラススイッチ（図示せず）が連結される。
【００３３】
この際、ボーラススイッチの操作による薬物投入量の増加は、患者に対する薬液注入に先立って、操作部２０上で設定される薬液注入情報、すなわちボーラス注入量、ボーラス流速、時間当たりのボーラス制限量、ボーラスロック時間、及び負荷用量に応じて行われ得る。
【００３４】
薬液注入チューブ５０は、一側が薬液注入装置１の外部に位置した薬液充填パック（図示せず）に連結され、他側が患者に連結され、操作部２０の下部に挿入結合されて薬液注入装置１の動作によって薬液充填パックから患者側へ薬液が注入される通路の役割を果たす。
【００３５】
ドア部６０は、薬液注入チューブ５０の前面に開閉可能に位置し、薬液注入チューブ５０を定着及び収納し、ドア部６０によって薬液注入チューブ５０が定着された後にのみ薬液注入チューブ５０を介して薬液が患者側へ注入できるように薬液注入装置１の動作が行われ得る。
【００３６】
この際、薬液注入チューブ５０の動作は、薬液注入装置１の下端に位置して薬液注入チューブ５０をポンピングする駆動部（図示せず）によって行われ得る。
【００３７】
また、本発明の好適な実施例に係る薬液注入装置１は、薬液注入チューブ５０を定着及び収納するドア部６０の開閉状態を感知するためのドア感知センサー、及び薬液注入チューブ５０の閉塞状態を感知するための閉塞感知センサーをさらに含んでもよい。
【００３８】
図２は本発明の好適な実施例に係る薬液注入履歴管理方法の順序図である。
【００３９】
図２に示すように、Ｓ１０で薬液注入装置１の操作部２０を操作して薬液注入情報を設定する。
【００４０】
この際、薬液注入情報は、薬液目標注入量、薬液流速、薬液に含まれた薬剤量、ボーラス注入量、ボーラス流速、及び時間当たりのボーラス制限量を含んでもよい。
【００４１】
また、薬液注入情報は、薬液注入モードをさらに含んでもよいが、薬液注入モードは、初期薬液注入の開始から終了までの駆動時間の間、既に設定された定量の薬液が持続的に注入される連続注入モード（Ｃｏｎｔｉｎｕｏｕｓ  Ｍｏｄｅ）、連続注入モードにおける定量の薬液にさらに患者によって一定量の薬液が注入されるようにする患者自己調節モード（ＰＣＡ  Ｍｏｄｅ）、及び患者自己調節モード（ＰＣＡ  Ｍｏｄｅ）と同一であるが薬液が静脈ではなく硬膜外に注入される患者硬膜外注入自己調節モード（ＰＣＥＡ  Ｍｏｄｅ）であってもよい。
【００４２】
また、薬液注入情報は、薬液に含まれた薬剤単位（ｍｇ、μｇ、ｍＬ）、ボーラス注入後から次のボーラス注入許容までのボーラススイッチロック時間であるボーラスロック時間（Ｌｏｃｋ  ｏｆ  Ｔｉｍｅ：ＬＯＴ）、薬液注入初期に患者にボーラスを与えるための量である負荷用量（Ｌｏａｄｉｎｇ  Ｄｏｓｅ：ＬＤ）、ボーラス流速（Ｂｏｌｕｓ  Ｒａｔｅ）、及び薬液注入完了後にも静脈の開放状態を持続的に維持するためのＫＶＯ（Ｋｅｅｐ  Ｖｅｉｎ  Ｏｐｅｎ）流速をさらに含んでもよい。
【００４３】
Ｓ２０において、薬液注入装置１の画面表示部３０がＳ１０で設定された薬液注入情報をディスプレイする。
【００４４】
この際、Ｓ２０の詳細段階は図３で後述する。
【００４５】
Ｓ３０において、薬液注入装置１が、Ｓ１０で設定された薬液注入情報に基づいて患者に注入される薬液の注入履歴を所定の時間間隔によって格納する。
【００４６】
この際、Ｓ３０で格納される薬液の注入履歴は、所定の時間間隔別の薬液注入量、所定の時間間隔によって累積された薬液の総注入量、ボーラス試行回数、ボーラス注入回数、及びボーラス注入量であってもよい。Ｓ３０の詳細段階は図５で後述する。
【００４７】
Ｓ４０において、薬液注入装置１が、Ｓ３０で格納された薬液の注入履歴を所定の時間間隔別に分析して患者に対する薬液注入状態を調節する。
【００４８】
この際、Ｓ４０の詳細段階は図９で後述する。
【００４９】
Ｓ５０において、薬液注入装置１が、所定の時間間隔によって累積された薬液の総注入量と、Ｓ１０で設定された薬液目標注入量とを比較し、所定の時間間隔によって累積された薬液の総注入量が薬液目標注入量に到達した場合に終了が行われる。所定の時間間隔によって累積された薬液の総注入量が薬液目標注入量に到達していない場合、Ｓ３０とＳ４０を繰り返し行う。
【００５０】
図３は図２のＳ２０に対する詳細順序図、図４は本発明の好適な実施例に係る薬液注入情報のディスプレイ参考図である。
【００５１】
図３及び図４に示すように、Ｓ２２で薬液注入装置１の画面表示部３０が薬液目標注入量（Ｔｏｔａｌ  Ｖｏｌｕｍｅ）と薬液流速（Ｆｌｏｗ  Ｒａｔｅ）をディスプレイする。
【００５２】
Ｓ２４で薬剤量（Ｄｒｕｇ  Ａｍｏｕｎｔ）をディスプレイした後、Ｓ２６で薬液目標注入量（Ｔｏｔａｌ  Ｖｏｌｕｍｅ）、薬液流速（Ｆｌｏｗ  Ｒａｔｅ）及び薬剤量（Ｄｒｕｇ  Ａｍｏｕｎｔ）を用いて薬剤流速（Ｄｒｕｇ  Ｒａｔｅ）を計算した後、ディスプレイする。
【００５３】
この際、薬剤流速は下記の数式によって計算できる。
ＤＲ＝（ＤＡ／ＴＶ）＊ＦＲ
式中、ＤＲは薬剤流速（Ｄｒｕｇ  Ｒａｔｅ）、ＤＡは薬剤量（Ｄｒｕｇ  Ａｍｏｕｎｔ）、ＴＶは薬液目標注入量（Ｔｏｔａｌ  Ｖｏｌｕｍｅ）、ＦＲは薬剤流速（Ｆｌｏｗ  Ｒａｔｅ）をそれぞれ示す。
【００５４】
例えば、図４に示すように、薬剤量（Ｄｒｕｇ  Ａｍｏｕｎｔ）が７５０ｍｇ、薬液目標注入量（Ｔｏｔａｌ  Ｖｏｌｕｍｅ）が１５０ｍＬ、薬液流速（Ｆｌｏｗ  Ｒａｔｅ）が２ｍＬ／ｈの場合、前記数式１に基づいて１０ｍｇ／ｈの薬剤流速（Ｄｒｕｇ  Ｒａｔｅ）が計算されて薬液注入装置１の画面表示部３０上に表示できる。
【００５５】
したがって、本発明の薬液注入装置１を使用する使用者は、ｍｇ／ｈ又はμｇ／ｈの薬剤単位で薬液が注入される場合にも、直接計算による計算誤りなしで薬液注入装置１の画面表示部３０を介して正確な薬剤流速を確認することが可能となる。
【００５６】
Ｓ２８で薬液注入装置１の画面表示部３０がボーラス注入量（Ｂｏｌｕｓ  Ｄｏｓｅ：ＢＤ）とボーラス流速（Ｂｏｌｕｓ  Ｒａｔｅ）をディスプレイすると、終了が行われる。
【００５７】
この際、Ｓ２８で、薬液注入装置１の画面表示部３０は、ボーラスロック時間（Ｌｏｃｋ  ｏｆ  Ｔｉｍｅ：ＬＯＴ）、負荷用量（Ｌｏａｄｉｎｇ  Ｄｏｓｅ：ＬＤ）及びＫＶＯ（Ｋｅｅｐ  Ｖｅｉｎ  Ｏｐｅｎ）流速をさらにディスプレイすることができる。
【００５８】
図５は図２のＳ３０に対する詳細順序図である。
【００５９】
図３に示すように、Ｓ３２で薬液注入装置１が所定の時間間隔別に薬液の注入量をチェックし、所定の時間間隔別の薬液の注入量、及び所定の時間間隔によって累積された薬液の総注入量を格納する。
【００６０】
Ｓ３４で薬液注入装置１が所定の時間間隔別にボーラス試行回数とボーラス注入回数をチェックし、所定の時間間隔別にボーラス試行回数、ボーラス注入回数、及びボーラス注入回数によって決定されるボーラス注入量を格納する。
【００６１】
Ｓ３６で薬液注入装置１が所定の時間間隔別に薬液注入装置の一時停止か否かをチェックし、所定の時間間隔別に薬液注入装置の停止履歴を格納すると、終了が行われ得る。
【００６２】
この際、薬液注入装置の停止履歴は、使用者の操作によって薬液注入装置１が停止した場合、薬液注入チューブ５０の閉塞状態を感知する閉塞感知センサーによって薬液注入チューブ５０の閉塞状態が感知されて薬液注入装置１が停止した場合、及びドア部６０の開閉状態を感知するドア感知センサーによってドア部５０の開放状態が感知されて薬液注入装置１が停止した場合を含むことができる。
【００６３】
また、本発明の好適な実施例に係る薬液注入装置１の画面表示部３０は、Ｓ３０で所定の時間間隔で格納された薬液の総注入情報、ボーラス履歴、及び薬液注入装置の停止履歴を示すが、これについて下記の図６〜図８で説明する。
【００６４】
図６は本発明の好適な実施例に係る薬液総注入情報のディスプレイ参考画面、図７は本発明の好適な実施例に係るボーラス履歴のディスプレイ参考画面、図８は本発明の好適な実施例に係る薬液注入装置の停止履歴のディスプレイ参考画面である。
【００６５】
図６に示すように、本発明の好適な実施例に係る薬液注入装置１の画面表示部３０が、薬液注入装置１上で格納された薬液総注入情報をディスプレイすることができる。
【００６６】
ここで、ＴＯＴＡＬは総和、４ＨＲＬＹは１時間〜４時間間隔に調節できる所定の時間間隔、ＳＨＩＦＴは使用者が任意に設定した時間からの累積量又は累積回数、Ｖｏｌ  Ｉｎｆは薬液注入量、Ｂｏｌ  Ｉｎｆはボーラス注入量、Ｂｏｌ  Ｇｉｖｅｎはボーラス注入回数、Ｂｏｌ  Ａｔｔｍｐはボーラス試行回数、Ｃｌｉｎ  Ｄｏｓｅは患者の状態に応じて担当医師が指定によって注入可能な追加のボーラスであるクリニカルボーラス（Ｃｌｉｎｉｃａｌ  Ｂｏｌｕｓ）の注入量、Ｌｏａｄ  Ｄｏｓｅは負荷用量、ＳＨＩＦＴ  Ｓｔｒｔは使用者によってＳＨＩＦＴが初期化された時間をそれぞれ意味する。
【００６７】
図７に示すように、本発明の好適な実施例に係る薬液注入装置１の画面表示部３０は、薬液注入装置１上で格納されたボーラス履歴をディスプレイすることができる。
【００６８】
ここで、ＨＲは所定の時間間隔、ＢＩは所定の時間間隔毎に注入されたボーラス注入量、ＢＧは所定の時間間隔毎に行われたボーラス注入回数、ＢＡは所定の時間間隔毎のボーラス試行回数をそれぞれ意味する。
【００６９】
図８に示すように、本発明の好適な実施例に係る薬液注入装置１の画面表示部３０は、薬液注入装置１上で格納された薬液注入装置１の停止履歴をディスプレイすることができる。
【００７０】
ここで、ＨＲは所定の時間間隔、ＳＴＯＰは所定の時間間隔毎に使用者の操作により薬液注入装置１が停止した回数、ＯＣＣＬは所定の時間間隔毎に薬液注入チューブ５０の閉塞状態を感知する閉塞感知センサーによって薬液注入チューブ５０の閉塞状態が感知されて薬液注入装置１が停止した回数、ＤＯＯＲは所定の時間間隔毎にドア部６０の開閉状態を感知するドア感知センサーによってドア部５０の開放状態が感知されて薬液注入装置１
が停止した回数をそれぞれ意味する。
【００７１】
したがって、本発明の薬液注入装置１を使用する使用者は、図６〜図８に示すように、必要に応じて画面表示部３０を介して薬液総注入情報、ボーラス履歴、及び薬液注入装置の停止履歴を確認することができるため、患者の状態を迅速にモニタリングすることが可能となる。
【００７２】
図９は図２のＳ４０に対する詳細順序図である。
【００７３】
図９に示すように、Ｓ４２において、薬液注入装置１は、薬液目標注入量と所定の時間間隔別に格納された薬液注入量を用いて所定の時間間隔別の薬液注入抜け量を算出する。
【００７４】
Ｓ４４において、薬液注入装置１は、Ｓ４２で算出された薬液注入抜け量が所定の次の時間間隔内に注入されるように薬液注入速度を調節する。
【００７５】
Ｓ４６において、薬液注入装置１は、所定の時間間隔別に格納されたボーラス試行回数とボーラス注入回数の差を計算する。
【００７６】
Ｓ４８において、薬液注入装置１は、Ｓ４６で計算された差異値が所定の基準値以上の場合に、次のボーラス注入時のボーラス注入量を調節すると、終了が行われる。
【００７７】
このように、本発明の薬液注入装置１は、所定の時間間隔で格納された薬液注入履歴を所定の時間間隔で分析し、抜けた薬液が次の時間間隔内に注入されるようにし或いは次のボーラス注入時のボーラス注入量を調節することができる。よって、本発明の薬液注入装置１は、使用する使用者が患者の状態に応じて薬液注入状態を調節して患者の状態に能動的に対処することができる。
【００７８】
本発明の薬液注入履歴管理方法は、薬液注入装置１の操作部２０を操作して薬液注入情報を設定した後、設定された薬液注入情報に基づいて患者に注入される薬液の注入履歴を所定の時間価格で格納し或いは格納された注入履歴を画面表示部３０でディスプレイすることができ、格納された薬液の注入履歴を所定の時間間隔で分析して患者に対する薬液注入状態を調節することができるので、患者の状態による能動的対処が可能であるという効果を持つ。
【００７９】
また、薬液注入装置１の画面表示部３０で薬液注入情報、薬液注入履歴をディスプレイすることができるため、薬液注入装置１によって薬液の注入を受ける患者の状態をリアルタイムでモニタリングすることができるという効果を持つ。
【００８０】
また、薬液注入装置１の画面表示部３０で薬液注入情報と薬液注入履歴などを一つの画面上にディスプレイすることができるので、従来の段階別ディスプレイ方式に比べて、設定過程で発生しうる誤りを減らすことができるという効果を持つ。
【００８１】
以上は本発明の技術思想を例示的に説明したものに過ぎず、本発明の属する技術分野における通常の知識を有する者であれば、本発明の本質的な特性から外れない範囲内において多様な修正、変更及び置換が可能であろう。よって、本発明に開示された実施例及び添付図面は本発明の技術思想を限定するためのものではなく、説明するためのものであり、本発明の技術思想の範囲はこれらの実施例及び添付図面に限定されない。本発明の保護範囲は下記の請求の範囲によって解釈されるべきであり、それと同等な範囲内にある全ての技術思想は本発明の権利範囲に含まれるものと解釈されるべきであろう。
【図１】
2013525059.tif 000003
【図２】
2013525059.tif 000004
【図３】
2013525059.tif 000005
【図４】
2013525059.tif 000006
【図５】
2013525059.tif 000007
【図６】
2013525059.tif 000008
【図７】
2013525059.tif 000009
【図８】
2013525059.tif 000010
【図９】
2013525059.tif 000011
【国際調査報告】
2013525059.tif 000012
2013525059.tif 000013
2013525059.tif 000014
2013525059.tif 000015
2013525059.tif 000016
2013525059.tif 000017
2013525059.tif 000018
2013525059.tif 000019
2013525059.tif 000020
2013525059.tif 000021
2013525059.tif 000022
2013525059.tif 000023
2013525059.tif 000024
2013525059.tif 000025